(57)【要約】【課題】ＰＳがローミングＢＳに移動した場合、ＰＳの現在位置を認識することができない。【解決手段】ホームＢＳ３Ａ及びローミングＢＳ３Ｂを識別するＢＳ名称をＢＳ毎に記憶すると共に、ＰＳ２毎に現在収容接続中のＢＳがホームＢＳ３Ａ又はローミングＢＳ３Ｂであるかを示す判断フラグを記憶するメモリ１２と、ＭＦＴ５からの位置検索特番を検出する特番検出部３１と、位置検索特番を検出すると、ＭＦＴ５からのＰＳ番号を検出するＰＳ番号検出部３２と、このＰＳ番号を検出すると、このＰＳ番号に対応する判断フラグに基づいて、同ＰＳがローミングＢＳ３に収容接続中であるか否かを判定するローミング判定部３３と、同ＰＳがローミングＢＳに収容接続されていると判定されると、このローミングＢＳに対応するＢＳ名称を読み出し、このＢＳ名称を同ＰＳの現在位置としてＭＦＴ５の表示部に表示させる表示制御部３４とを有している。【選択図】図３
2008259226.tif 000002
【特許請求の範囲】
【請求項１】
移動端末と、前記移動端末との間で無線接続する基地局と、表示機能付き端末とを収容する交換機とからなる構内無線通信システムであって、
前記交換機は、
前記表示機能付き端末の表示部に表示を行わせる表示制御手段と、
移動端末番号と、前記基地局及び、当該基地局以外のローミング基地局を識別する識別情報と、前記移動端末が前記基地局又は前記ローミング基地局に収容接続中であるかを示す判断情報と、を前記移動端末番号毎に記憶する記憶手段と、
前記移動端末番号に基づき前記記憶手段から前記識別情報を検出する検出手段と、
前記記憶手段に記憶中の前記判断情報に基づいて、前記移動端末番号に対応した移動端末が前記ローミング基地局に収容接続されているか否かを判定するローミング判定手段と、
前記表示機能付き端末から前記移動端末の番号を受信し、前記表示機能付き端末と前記移動端末とが通話をする際に、
前記識別情報及び前記判断情報に基づき、前記移動端末を収容接続する基地局またはローミング基地局に対応した前記識別情報を前記表示機能付き端末の表示部に表示させる表示制御手段と、を有することを特徴とする構内無線通信システム。
【請求項２】
前記識別情報は、
前記基地局及び前記ローミング基地局を識別する名称データであることを特徴とする請求項１に記載の構内無線通信システム。
【発明の詳細な説明】
【技術分野】
【０００１】
本発明は、例えば移動端末と、この移動端末を収容接続可能としたホーム基地局又はローミング基地局と、ホーム基地局を収容接続する構内交換機とを有し、殊に構内交換機に収容接続される表示機能付き端末から移動端末の位置を認識することができる構内無線通信システムに関する。
【背景技術】
【０００２】
従来、このような無線通信システムとしては、次に記載のような技術が知られている（特許文献１参照）。
【特許文献１】特許第３１５７４４３号公報
【０００３】
この無線通信システムは、移動端末と、この移動端末を収容接続する基地局と、この基地局と接続するセンタ局とを有し、このセンタ局は、移動端末を特定する移動端末番号を入力すると、この移動端末番号に対応した移動局を収容接続する基地局を検出し、この基地局に基づいて移動端末の位置を前記センタ局の表示部に表示するようにしている。
【発明の開示】
【発明が解決しようとする課題】
【０００４】
しかしながら、上記従来の無線通信システムによれば、移動端末がホーム基地局から圏外の基地局、すなわちローミング基地局に移動した場合には、センタ局では、ローミング基地局に対応していないことから、移動端末の位置を認識することができない。
【０００５】
本発明は上記点に鑑みてなされたものであり、その目的とするところは、移動端末がホーム基地局からローミング基地局に移動したとしても、移動端末の位置を認識することができる構内無線通信システムを提供することにある。
【課題を解決するための手段】
【０００６】
上記目的を達成するために本発明の構内無線通信システムは、移動端末と、前記移動端末との間で無線接続する基地局と、表示機能付き端末とを収容する交換機とからなる構内無線通信システムであって、前記交換機は、前記表示機能付き端末の表示部に表示を行わせる表示制御手段と、移動端末番号と、前記基地局及び、当該基地局以外のローミング基地局を識別する識別情報と、前記移動端末が前記基地局又は前記ローミング基地局に収容接続中であるかを示す判断情報と、を前記移動端末番号毎に記憶する記憶手段と、前記移動端末番号に基づき前記記憶手段から前記識別情報を検出する検出手段と、前記記憶手段に記憶中の前記判断情報に基づいて、前記移動端末番号に対応した移動端末が前記ローミング基地局に収容接続されているか否かを判定するローミング判定手段と、前記表示機能付き端末から前記移動端末の番号を受信し、前記表示機能付き端末と前記移動端末とが通話をする際に、前記識別情報及び前記判断情報に基づき、前記移動端末を収容接続する基地局またはローミング基地局に対応した前記識別情報を前記表示機能付き端末の表示部に表示させる表示制御手段と、を有するようにした。
【０００７】
従って、本発明の構内無線通信システムによれば、表示機能付き端末からの位置検索特番を検出し、この表示機能付き端末からの移動端末番号を検出すると、この移動端末番号に対応した移動端末がローミング基地局に収容接続されているか否かを判定し、この移動端末がローミング基地局に収容接続されていると判定されると、このローミング基地局に対応した識別情報を表示機能付き端末の表示部に表示させるようにしたので、表示機能付き端末のユーザは、簡単な操作で位置検索対象の移動端末を特定し、この特定した移動端末がローミング基地局に収容接続されていたとしても、このローミング基地局の識別情報を表示することで、このローミング基地局を移動端末の現在位置として認識することができる。
【０００８】
本発明の構内無線通信システムは、前記識別情報を、前記基地局及び前記ローミング基地局を識別する名称データとすることができる。
【０００９】
従って、本発明の構内無線通信システムによれば、記憶手段に記憶中の識別情報がホーム基地局又はローミング基地局を識別する収容位置番号又は名称データとしたので、表示機能付き端末のユーザは、簡単な操作で位置検索対象の移動端末を特定し、この特定した移動端末がローミング基地局に収容接続されていたとしても、このローミング基地局の名称データや収容位置番号を表示することで、このローミング基地局の名称データや収容位置番号を移動端末の現在位置として認識することができる。
【発明の効果】
【００１０】
本発明によれば、表示機能付き端末からの位置検索特番を検出し、この表示機能付き端末からの移動端末番号を検出すると、この移動端末番号に対応した移動端末がローミング基地局に収容接続されているか否かを判定し、この移動端末がローミング基地局に収容接続されていると判定されると、このローミング基地局に対応した識別情報を表示機能付き端末の表示部に表示させるようにしたので、表示機能付き端末のユーザは、簡単な操作で位置検索対象の移動端末を特定し、この特定した移動端末がローミング基地局に収容接続されていたとしても、このローミング基地局の識別情報を表示することで、このローミング基地局を移動端末の現在位置として認識することができる。
【発明を実施するための最良の形態】
【００１１】
以下、図面に基づいて本発明の実施の形態を示す構内無線通信システムについて説明する。図１は本実施の形態を示す構内無線通信システム内部の概略構成を示すブロック図である。
【００１２】
図１に示す構内無線通信システム１は、構内交換機（以下、単にホーム局ＰＢＸと称する）１Ａと、複数の移動端末（以下、単にＰＳと称する）２と、このＰＳ２と無線接続するホーム基地局（以下、単にホームＢＳと称する）３Ａとを有している。尚、構内無線通信システム１は、例えば会社施設内の各部署毎にホームＢＳ３Ａを配置しているものとする。
【００１３】
ホーム局ＰＢＸ１Ａは、ホームＢＳ３Ａと通信接続する基地局インタフェース（以下、単にＢＳインタフェースと称する）４と、表示機能を備えた多機能電話機（以下、単にＭＦＴと称する）５と、このＭＦＴ５と通信接続する内線トランク（以下、単にＬＩＮと称する）６と、公衆網１Ｄと通信接続する局線インタフェース（以下、単にＣＯＴと称する）８と、制御端末９と、この制御端末９と通信接続するＩＳＤＮ内線インタフェース１０と、これらＢＳインタフェース４、ＬＩＮ６、ＣＯＴ８及びＩＳＤＮ内線インタフェース１０間の通話路を形成する通話路スイッチ（以下、単にＴＳＷと称する）１２と、様々なデータ等を記憶するメモリ１３と、この構内無線通信システム１全体を制御する中央制御装置（以下、単にＣＰＥと称する）１４とを有している。尚、ＰＳ２−ホームＢＳ３Ａ−ホーム局ＰＢＸ１Ａ間の通信シーケンスは、ＴＴＣ標準−Ｑ９３１−１ａに規格されている通信シーケンスで行われるものとする。
【００１４】
ＭＦＴ５は、ダイヤル操作部と、例えばＢＳ名称やＢＳ収容位置等の様々な情報を画面表示する表示部とを備えている。
【００１５】
図２はメモリ１３のメモリ内容を端的に示す説明図である。
【００１６】
図２においてメモリ１３は、ＰＳ２を識別する移動端末識別番号（以下、単にＰＳ番号と称する）２１と、ＰＳ２を収容接続中のホームＢＳ３Ａ又はローミング基地局（ビジタ基地局・以下、単にローミングＢＳと称する）３ＢのＢＳ番号を示す収容ＢＳ番号２２と、同ＰＳ２がホームＢＳ３Ａ又はローミングＢＳ３Ｂに収容接続されているかを示す判断フラグ２３とをＰＳ２毎に記憶している。
【００１７】
さらに、メモリ１３は、ホームＢＳ３Ａ又はローミングＢＳ３Ｂを識別するＢＳ番号２４と、ホームＢＳ３Ａ又はローミングＢＳ３Ｂの収容位置を示すＢＳ収容位置２５と、ホームＢＳ３Ａ又はローミングＢＳ３Ｂの名称を示すＢＳ名称２６とをＢＳ３毎に記憶している。
【００１８】
さらに、メモリ１３は、通常着信用の位置検索特番と、無鳴動着信用の位置検索特番とを記憶している。尚、通常着信用の位置検索特番は、位置検索対象のＰＳ２に通常着信をかけることで位置検索を実行するものであり、その位置検索対象のＰＳ２においては通常着信に応じて着信履歴が残る。これに対して、無鳴動着信用の位置検索特番は、位置検索対象のＰＳ２に無鳴動着信をかけることで位置検索を実行するものであり、その位置検索対象のＰＳ２においては無鳴動着信に応じた着信履歴は残らないものとする。
【００１９】
図３はＣＰＥ１４内部の概略構成を示すブロック図である。
【００２０】
ＣＰＥ１４は、ＭＦＴ５からの位置検索特番を検出する特番検出部３１と、この特番検出部３１にて位置検索特番を検出すると、このＭＦＴ５からの位置検索対象のＰＳ２を特定するＰＳ番号を検出するＰＳ番号検出部３２と、このＰＳ番号検出部３２にてＰＳ番号を検出すると、メモリ１３に記憶中の判断フラグ２３に基づいて、このＰＳ番号に対応したＰＳ２がローミングＢＳ３Ｂに収容接続されているか否かを判定するローミング判定部３３と、このローミング判定部３３にてＰＳ２がローミングＢＳ３Ｂに収容接続されていると判定されると、このローミングＢＳ３Ｂに対応したＢＳ名称２６をＭＦＴ５の表示部に表示させると共に、ローミング判定部３３にてＰＳ２がローミングＢＳ３Ｂに収容接続されていないと判定されると、ＰＳ２が収容接続されているのがホームＢＳ３Ａと判断し、このホームＢＳ３Ａに対応したＢＳ名称２６又はＢＳ収容位置２５をＭＦＴ５の表示部に表示させる表示制御部３４と、このＣＰＥ１４全体を制御する制御部３５とを有している。
【００２１】
図４はＭＦＴ５の表示部の表示内容を端的に示す説明図である。
【００２２】
ＭＦＴ５は、後述するＰＳ位置検索表示処理にて位置検索対象のＰＳ２を収容接続中のＢＳ３のＢＳ名称２６がメモリ１３内にある場合、図４（ａ）に示すように、位置検索対象のＰＳ２を収容接続するＢＳ３のＢＳ名称４１と、この位置検索対象のＰＳ２のＰＳ番号４２と、現在日時４３と、このＭＦＴ５の内線番号４４とを表示部に表示するものである。
【００２３】
ＭＦＴ５は、ＰＳ位置検索表示処理にて位置検索対象のＰＳ２を収容接続中のＢＳ３のＢＳ名称２６はないが、ＢＳ収容位置２５がある場合、図４（ｂ）に示すように、位置検索対象のＰＳ２を収容接続するＢＳ３のＢＳ収容位置４５と、位置検索対象のＰＳ２のＰＳ番号４２と、現在日時４３と、このＭＦＴ５の内線番号４４とを表示部に表示するものである。
【００２４】
ＭＦＴ５は、ＰＳ位置検索表示処理にて位置検索対象のＰＳ２を収容接続中のＢＳ３のＢＳ収容位置２５やＢＳ名称２６がない場合、図４（ｃ）に示すように、位置検索対象のＰＳ２が圏外であることを示す圏外４６と、この位置検索対象のＰＳ２のＰＳ番号４２と、現在日時４３と、このＭＦＴ５の内線番号４４とを表示部に表示するものである。
【００２５】
また、ＭＦＴ５は、後述する通話ＰＳ位置検索表示処理にて通話中のＰＳ２を収容接続するＢＳ３のＢＳ名称２６がある場合、図４（ｄ）に示すように、通話中のＰＳ２を収容接続するＢＳ３のＢＳ名称４１と、この通話中のＰＳ２のＰＳ番号４２と、現在日時４３と、同ＭＦＴ５の内線番号４４とを表示部に表示するものである。
【００２６】
また、制御端末９は、例えばパソコン等に相当し、特殊操作に応じて位置検索対象のＰＳ２を特定し、この特定したＰＳ２を収容接続するＢＳ３のＢＳ名称２６等でＰＳ２の現在位置を制御端末９の表示部に画面表示するものである。
【００２７】
尚、請求項記載の表示機能付き端末はＭＦＴ５、記憶手段はメモリ１３、特番検出手段は特番検出部３１、移動端末番号検出手段はＰＳ番号検出部３２、ローミング判定手段はローミング判定部３３、表示制御手段は表示制御部３４に相当するものである。
【００２８】
次に本実施の形態を示す構内無線通信システム１の動作について説明する。図５は本実施の形態に関わるＰＳ位置検索表示処理に関わるＣＰＥ１４の処理動作を示すフローチャートである。
【００２９】
図５に示すＰＳ位置検索表示処理とは、ＭＦＴ５からの特殊操作に応じて、位置検索対象のＰＳ２を特定し、このＰＳ２を収容接続するＢＳ３を特定することで、このＢＳ３のＢＳ名称やＢＳ収容位置をＰＳ２の位置情報としてＭＦＴ５の表示部に表示させる処理である。
【００３０】
図５においてＣＰＥ１４は、ＭＦＴ５から位置検索特番及びＰＳ番号を受信したか否かを判定する（ステップＳ１１）。尚、ＣＰＥ１４の制御部３５は、特番検出部３１を通じてＭＦＴ５からの位置検索特番を検出すると、ＰＳ位置検索表示処理を起動すると共に、この検出した位置検索特番に基づいて無鳴動着信又は通常着信の着信形態を選択するものである。さらに、制御部３５は、ＰＳ番号検出部３２を通じてＭＦＴ５からのＰＳ番号を検出すると、位置検索対象のＰＳ２を特定するものである。
【００３１】
ＣＰＥ１４では、ＭＦＴ５から位置検索特番及びＰＳ番号を受信したのであれば、メモリ１３に記憶中のＰＳ番号に対応した判断フラグ２３を読み出し、この判断フラグ２３に基づいてＰＳ番号に対応する位置検索対象のＰＳ２がホームＢＳ３Ａに収容接続されているか否かを判定する（ステップＳ１２）。
【００３２】
ＣＰＥ１４は、この位置検索対象のＰＳ２がホームＢＳ３Ａに収容接続されていると判定されると、ステップＳ１１の位置検索特番で選択した着信形態で、この位置検索対象のＰＳ２に対して呼出動作を開始する（ステップＳ１３）。
【００３３】
ＣＰＥ１４は、この呼出動作を開始すると、ホームＰＳ呼出タイマをスタートし（ステップＳ１４）、このＰＳ２からのレスポンスがあったか否かを判定する（ステップＳ１５）。尚、ＰＳ２からのレスポンスとは、例えばホームＢＳ３ＡからＰＳ２へのセットアップ情報に対する、ＰＳ２から呼受付情報等のレスポンスに相当するものである。
【００３４】
ＣＰＥ１４は、ＰＳ２からのレスポンスがあると判定されると、このレスポンスがあったホームＢＳ３ＡのＢＳ名称２６がメモリ１３内にあるか否かを判定する（ステップＳ１６）。
【００３５】
ＣＰＥ１４は、ホームＢＳ３ＡのＢＳ名称２６がメモリ１３内にあると判定されると、このＢＳ名称２６をメモリ１３から読み出し（ステップＳ１７）、この読み出したＢＳ名称２６をＰＳ２の現在位置として、図４（ａ）に示すようにＭＦＴ５の表示部に表示させ（ステップＳ１８）、この処理動作を終了する。尚、ＭＦＴ５のユーザは、表示中のＢＳ名称に基づいて位置検索対象のＰＳ２の現在位置を認識することができる。
【００３６】
ステップＳ１６にてホームＢＳ３ＡのＢＳ名称２６がメモリ１３内にないと判定されると、このホームＢＳ３ＡのＢＳ収容位置２５をメモリ１３から読み出し（ステップＳ１９）、図４（ｂ）に示すように、このホームＢＳ３ＡのＢＳ収容位置２５をＭＦＴ５の表示部に表示させ（ステップＳ２０）、この処理動作を終了する。尚、ＭＦＴ５のユーザは、表示中のＢＳ収容位置に基づいて位置検索対象のＰＳ２の現在位置を認識することができる。
【００３７】
ＣＰＥ１４は、ステップＳ１５にてＰＳ２からのレスポンスがないと判定されると、ステップＳ１４にてスタートしたホームＰＳ呼出タイマがタイムアウトしたか否かを判定する（ステップＳ２１）。ホームＰＳ呼出タイマがタイムアウトしたのでなければ、ＰＳ２からのレスポンスを監視すべく、ステップＳ１５に移行する。
【００３８】
また、ステップＳ２１にてホームＰＳ呼出タイマがタイムアウトしたのであれば、この呼出タイマ時間内に、このＰＳ２からのレスポンスがないと判断し、このＰＳ２を圏外と判断し、ＭＦＴ５の表示部に圏外を表示させ（ステップＳ２２）、この処理動作を終了する。尚、ＭＦＴ５のユーザは、表示中の圏外表示で位置検索対象のＰＳ２の現在位置が圏外であることを認識することができる。
【００３９】
また、ＣＰＥ１４は、ステップＳ１２にてＰＳ２がホームＢＳ３Ａに収容接続されていないと判定されると、つまりＰＳ２がローミングＢＳ３Ｂに収容接続されていると判定されると、このローミングＢＳ３Ｂを通じてＰＳ２への呼出動作を開始する（ステップＳ２３）。
【００４０】
ＣＰＥ１４は、ＰＳ２への呼出動作を開始すると、ローミングＰＳ呼出タイマをスタートし（ステップＳ２４）、ローミングＢＳ３Ｂに対してＰＳ２からのレスポンスがあるか否かを判定する（ステップＳ２５）。
【００４１】
ＣＰＥ１４は、ＰＳ２からのレスポンスがあると判定されると、このローミングＢＳ３Ｂに対応するＢＳ名称２６がメモリ１３内にあるか否かを判定する（ステップＳ２６）。
【００４２】
ＣＰＥ１４は、ローミングＢＳ３Ｂに対応するＢＳ名称２６がメモリ１３内にあると判定されると、このＢＳ名称２６を読み出し（ステップＳ２７）、このＢＳ名称２６をＭＦＴ５の表示部に表示させ（ステップＳ２８）、この処理動作を終了する。尚、ＭＦＴ５のユーザは、位置検索対象のＰＳ２がローミングＢＳ３Ｂに収容接続中であったとしても、表示中のＢＳ名称２６に基づいてＰＳ２の現在位置を認識することができる。
【００４３】
ＣＰＥ１４は、ステップＳ２５にてＰＳ２からのレスポンスがないと判定されると、ローミングＰＳ呼出タイマがタイムアップしたか否かを判定する（ステップＳ２９）。
【００４４】
ＣＰＥ１４は、ローミングＰＳ呼出タイマがタイムアップしたのでなければ、ＰＳ２からのレスポンスを監視すべく、ステップＳ２５に移行する。
【００４５】
また、ＣＰＥ１４は、ステップＳ２９にてローミングＰＳ呼出タイマがタイムアップしたと判定されると、又はステップＳ２６にてローミングＢＳ３Ｂに対応するＢＳ名称２６がメモリ１３内にないと判定されると、このＰＳ２が圏外と判断し、ＭＦＴ５の表示部に圏外を表示させ（ステップＳ３０）、この処理動作を終了する。尚、ＭＦＴ５のユーザは、表示中の圏外表示で位置検索対象のＰＳ２の現在位置が圏外であることを認識することができる。
【００４６】
図５に示すＰＳ位置検索表示処理によれば、ＭＦＴ５から位置検索特番及び位置検索対象のＰＳ番号を入力するだけで、この位置検索対象のＰＳ２を収容接続するＢＳ３のＢＳ名称２６やＢＳ収容位置２５をＰＳ２の現在位置としてＭＦＴ５の表示部に表示するようにしたので、ＰＳ２がホームＢＳ３Ａ又はローミングＢＳ３Ｂに収容接続されたとしても、ＭＦＴ５のユーザは、簡単なダイヤル操作でＰＳ２の現在位置を認識することができる。
【００４７】
また、ＰＳ位置検索表示処理によれば、ＭＦＴ５からの位置検索特番を検出し、この位置検索特番に応じて通常着信又は無鳴動着信の着信形態を選択するようにしたので、例えば無鳴動着信とすると、位置検索対象のＰＳ２のユーザに気付かれることなく、ＰＳ２に着信をかけることで、ＰＳ２の現在位置を特定することができる。尚、ＰＳ２においては、無鳴動着信の場合、この無鳴動着信に対応する着信履歴は残らない。
【００４８】
図６は通話ＰＳ位置検索表示処理に関わるＣＰＥ１４の処理動作を示すフローチャートである。
【００４９】
図６に示す通話ＰＳ位置検索表示処理は、ＭＦＴ５がＰＳ２と通話する際に、このＰＳ２を収容接続するＢＳ３を特定することで、このＢＳ３のＢＳ名称２６やＢＳ収容位置２５をＰＳ２の位置情報としてＭＦＴ５の表示部に表示させる処理である。
【００５０】
図６においてＣＰＥ１４は、ＭＦＴ５からＰＳ２のＰＳ番号を受信したか否かを判定する（ステップＳ４１）。ＣＰＥ１４は、ＰＳ２のＰＳ番号を受信したと判定されると、このＰＳ番号の判断フラグ２３に基づいて、このＰＳ番号に対応したＰＳ２がホームＢＳ３Ａに収容接続されているか否かを判定する（ステップＳ４２）。
【００５１】
ＣＰＥ１４は、ＰＳ番号に対応したＰＳ２がホームＢＳ３Ａに収容接続されていると判定されると、このＰＳ２に対して通常着信で呼出動作を開始して（ステップＳ４３）、ホームＢＳ３Ａを通じてＰＳ２からのレスポンスがあったか否かを判定する（ステップＳ４４）。
【００５２】
ＣＰＥ１４は、ＰＳ２からのレスポンスがあったと判定されると、このＰＳ２に対応するＢＳ名称２６がメモリ１３内にあるか否かを判定する（ステップＳ４５）。ＣＰＥ１４は、このＢＳ名称２６がメモリ１３内にあると判定されると、このＢＳ名称２６をメモリ１３から読み出し（ステップＳ４６）、図４（ｄ）に示すように、このＢＳ名称２６をＭＦＴ５の表示部に表示させ（ステップＳ４７）、この処理動作を終了する。尚、ＭＦＴ５のユーザは、表示中のＢＳ名称２６に基づいて通話相手であるＰＳ２の現在位置を認識することができる。
【００５３】
また、ＣＰＥ１４は、ステップＳ４４にてＰＳ２からのレスポンスがなければ、この処理動作を終了する。また、ＣＰＥ１４は、ステップＳ４５にてホームＢＳ３ＡのＢＳ名称２６がメモリ１３内になければ、このホームＢＳ３ＡのＢＳ収容位置２５をメモリ１３から読み出し（ステップＳ４８）、この読み出したＢＳ収容位置２５をＭＦＴ５の表示部に表示させ（ステップＳ４９）、この処理動作を終了する。尚、ＭＦＴ５のユーザは、表示中のＢＳ収容位置２５に基づいて通話相手であるＰＳ２の現在位置を認識することができる。
【００５４】
また、ＣＰＥ１４は、ステップＳ４２にてＰＳ２がホームＢＳ３Ａに収容接続されていないと判定されると、ローミングＢＳ３Ｂに収容接続されているものと判断し、このローミングＢＳ３Ｂを通じてＰＳ２に対して通常着信で呼出動作を開始する（ステップＳ５０）。
【００５５】
ＣＰＥ１４は、このローミングＢＳ３Ｂを通じてＰＳ２からのレスポンスがあったか否かを判定する（ステップＳ５１）。ＰＳ２からのレスポンスがなければ、この処理動作を終了する。
【００５６】
ＣＰＥ１４は、ステップＳ５１にてＰＳ２からのレスポンスがあれば、このローミングＢＳ３ＢのＢＳ名称２６がメモリ１３内にあるか否かを判定する（ステップＳ５２）。
【００５７】
ＣＰＥ１４は、ローミングＢＳ３ＢのＢＳ名称２６がメモリ１３内にあると判定されると、このＢＳ名称２６をメモリ１３から読み出し（ステップＳ５３）、このＢＳ名称２６をＭＦＴ５の表示部に表示させ（ステップＳ５３）、この処理動作を終了する。尚、ＭＦＴ５のユーザは、通話相手であるＰＳ２がローミングＢＳ３Ｂに収容接続中であったとしても、表示中のＢＳ名称２６に基づいてＰＳ２の現在位置を認識することができる。
【００５８】
ＣＰＥ１４は、ステップＳ５３にてローミングＢＳ３ＢのＢＳ名称２６がメモリ１３内にないと判定されると、圏外をＭＦＴ５の表示部に表示させ（ステップＳ５５）、この処理動作を終了する。尚、ＭＦＴ５のユーザは、表示中の圏外表示で通話相手であるＰＳ２の現在位置が圏外であることを認識することができる。
【００５９】
図６に示す通話ＰＳ位置検索表示処理によれば、ＭＦＴ５からＰＳ２と通話する際に、ＰＳ２に対応するＢＳ３のＢＳ名称２６をＭＦＴ５の表示部に表示させるようにしたので、ＰＳ２がホームＢＳ３Ａ又はローミングＢＳ３Ｂに収容接続されたとしても、ＭＦＴ５のユーザは、通話相手であるＰＳ２の現在位置を認識することができる。
【００６０】
本実施の形態によれば、ＭＦＴ５から位置検索特番及びＰＳ番号を検出すると、このＰＳ番号に対応したＰＳ２がローミングＢＳ３Ｂに収容接続されているか否かを判定し、このＰＳ２がローミングＢＳ３Ｂに収容接続されていると判定されると、このローミングＢＳ３Ｂに対応したＢＳ名称２６をＭＦＴ５の表示部に表示させるようにしたので、ＭＦＴ５のユーザは、簡単な操作で位置検索対象のＰＳ２を特定し、この特定したＰＳ２がローミングＢＳ３Ｂに収容接続されていたとしても、このローミングＢＳ３ＢのＢＳ名称２６を表示することで、このＢＳ名称２６でＰＳ２の現在位置を認識することができる。
【００６１】
本実施の形態によれば、ＭＦＴ５から無鳴動着信に関わる位置検索特番を検出すると、ＰＳ２への無鳴動着信でＰＳ２を収容接続するホームＢＳ３Ａ又はローミングＢＳ３Ｂを検出すると共に、この無鳴動着信に対応する着信履歴をＰＳ２に残らないようにしたので、ＭＦＴ５のユーザは、ＰＳ２のユーザに気付かれることなく、ＰＳ２の現在位置を認識することができる。
【００６２】
尚、上記実施の形態においては、会社施設内の各部署毎にＢＳ３を配置するようにしたが、例えば工事現場や病院等の施設を構内として施設内の部屋毎にＢＳ３を配置するようにしてもよい。
【００６３】
また、上記実施の形態においては、ＰＳ位置検索表示処理中にＰＳ２がローミングＢＳ３Ｂに収容接続されている場合、このローミングＢＳ３ＢのＢＳ名称２６がメモリ１３内にないと、ＭＦＴ５の表示部に圏外を表示させるようにしたが、メモリ内にローミングＢＳ３ＢのＢＳ収容位置２５が記憶されているのであれば、このＢＳ収容位置２５を表示させるようにしても良い。
【産業上の利用可能性】
【００６４】
本発明は、表示機能付き端末からの位置検索特番を検出し、この表示機能付き端末からの移動端末番号を検出すると、この移動端末番号に対応した移動端末がローミング基地局に収容接続されているか否かを判定し、この移動端末がローミング基地局に収容接続されていると判定されると、このローミング基地局に対応した識別情報を表示機能付き端末の表示部に表示させるようにしたので、表示機能付き端末のユーザは、簡単な操作で位置検索対象の移動端末を特定し、この特定した移動端末がローミング基地局に収容接続されていたとしても、このローミング基地局の識別情報を表示することで、このローミング基地局を移動端末の現在位置として認識することができるために、例えば移動端末と、この移動端末を収容接続可能としたホーム基地局又はローミング基地局と、ホーム基地局を収容接続する構内交換機とを有し、殊に構内交換機に収容接続される表示機能付き端末から移動端末の位置を認識することができる構内無線通信システム等に好適である。
【図面の簡単な説明】
【００６５】
【図１】本発明の実施の形態を示す構内無線通信システム内部の概略構成を示すブロック図である。
【図２】本実施の形態を示す構内無線通信システムに関わるＣＰＥ内部の概略構成を示すブロック図である。
【図３】本実施の形態に関わるメモリのメモリ内容を示す説明図である。
【図４】本実施の形態に関わるＭＦＴの表示部の表示内容を示す説明図である。
【図５】本実施の形態のＰＳ位置検索表示処理に関わるＣＰＥの処理動作を示すフローチャートである。
【図６】本実施の形態の通話ＰＳ位置表示処理に関わるＣＰＥの処理動作を示すフローチャートである。
【符号の説明】
【００６６】
１  構内無線通信システム
１Ａ  構内交換機（ホーム局ＰＢＸ）
２  移動端末（ＰＳ）
３Ａ  ホーム基地局（ホームＢＳ）
３Ｂ  ローミング基地局（ビジタ基地局・ローミングＢＳ）
５  多機能電話機（ＭＦＴ：表示機能付き端末）
６  内線トランク（ＬＩＮ）
１３  メモリ（記憶手段）
１４  中央制御装置（ＣＰＥ）
３１  特番検出部（特番検出手段）
３２  ＰＳ番号検出部（移動端末番号検出手段）
３３  ローミング判定部（ローミング判定手段）
３４  表示制御部（表示制御手段）
【図１】
2008259226.tif 000003
【図２】
2008259226.tif 000004
【図３】
2008259226.tif 000005
【図４】
2008259226.tif 000006
【図５】
2008259226.tif 000007
【図６】
2008259226.tif 000008